(57)【要約】 【課題】  組立工程が簡素化されたレンズユニットを提供する。【解決手段】  撮影レンズ２２の前面に、カバーガラス２１＿１，２１＿２，電解質が加えられた透明な水２１＿３，絶縁性液体である透明な油２１＿４，絶縁体２１＿５，第１の電極２１＿６，第２の電極２１＿７からなる液体レンズ２１を備え、その液体レンズ２１の第１，第２の電極２１＿６，２１＿７とカメラ本体に備えられた電気回路基板１０１との電気的な接続を、レンズホルダ１１にインモールド成型された電気的な配線として作用する第１，第２の接片１４＿１，１４＿２と電気的な配線として作用する第１，第２のコイルバネ１５＿１，１５＿２とにより行なう。【選択図】  図４
2007163749.tif 000002
【特許請求の範囲】
【請求項１】
撮影レンズと、
前記撮影レンズのうちの少なくとも一部のレンズを保持するレンズホルダと、
前記レンズホルダに備えられた、電気的な配線を要する作用体とを備え、
前記レンズホルダは、電気的な配線として作用する接片がインモールド成型されたものであり、
前記接片と、前記作用体との間の電気的な配線として作用する弾性部材を備えたことを特徴とするレンズユニット。
【請求項２】
前記弾性部材が、コイルバネであることを特徴とする請求項１記載のレンズユニット。
【請求項３】
前記弾性部材が、板バネであることを特徴とする請求項１記載のレンズユニット。
【請求項４】
前記作用体が、ピント調節用の光学部材を駆動するフォーカスアクチュエータであることを特徴とする請求項１記載のレンズユニット。
【請求項５】
前記作用体が、手ぶれ補正用の光学部材を駆動する手ぶれ補正アクチュエータであることを特徴とする請求項１記載のレンズユニット。
【発明の詳細な説明】
【技術分野】
【０００１】
本発明は、光学装置に組み込まれるレンズユニットに関する。
【背景技術】
【０００２】
従来より、ロール状の写真フイルム上に写真撮影を行なうコンパクトフイルムカメラや被写体光を撮像素子で捉えて画像信号を生成するデジタルカメラ、あるいは携帯電話に搭載されるカメラや動画を撮影するビデオカメラ等の光学機器において、その光学機器に組み込まれるレンズユニットを構成する撮影レンズの前面に、ＡＦ機構や手ぶれ補正機構等を設けることにより、そのレンズユニットに新たな機能を持たせるということが行なわれている。例えば、撮影レンズの前面に、手ぶれを除去するためのプリズムを設けることにより手ぶれ補正機構を実現するとともに、手ぶれがあるか否かに応じてＡＦ機構を構成するレンズ群の移動速度を決定することにより、手ぶれ補正機構を備えた場合であってもＡＦ機構の応答速度の低下を小さく抑えることができる技術が提案されている（特許文献１参照）。
【特許文献１】特開平７−１０７３７２号公報
【発明の開示】
【発明が解決しようとする課題】
【０００３】
上述した特許文献１に提案された技術において、撮影レンズの前面に設けられたプリズムには、液体が封入されたガラス部材を保持する保持枠に設けられたコイルと、固定部に設けられたマグネットおよびヨークからなるアクチュエータが備えられている。このアクチュエータで、手ぶれの大きさに応じた角度に見合った分だけ、プリズムの角度を制御することにより手ぶれが除去される。ここで、手ぶれの大きさに応じた角度に見合った分だけプリズムの角度を制御するためには、アクチュエータを構成するコイルにその角度に見合った大きさの電流を、カメラ本体に備えられた電気回路基板から供給する必要がある。このためには、撮影レンズ前面のプリズムに備えられたコイルと、カメラ本体に備えられた電気回路基板とを、それらプリズムとカメラ本体との間に配備されたレンズホルダ内に配設された配線で半田接続等により結線する必要がある。従って、組立工程が複雑であるという問題がある。
【０００４】
本発明は、上記事情に鑑み、組立工程が簡素化されたレンズユニットを提供することを目的とする。
【課題を解決するための手段】
【０００５】
上記目的を達成する本発明のレンズユニットは、
撮影レンズと、
上記撮影レンズのうちの少なくとも一部のレンズを保持するレンズホルダと、
上記レンズホルダに備えられた、電気的な配線を要する作用体とを備え、
上記レンズホルダは、電気的な配線として作用する接片がインモールド成型されたものであり、
上記接片と、上記作用体との間の電気的な配線として作用する弾性部材を備えたことを特徴とする。
【０００６】
本発明のレンズユニットは、レンズホルダに備えられた電気的な配線を要する作用体とカメラ本体等に備えられた電気回路基板との電気的な接続は、レンズホルダにインモールド成型された電気的な配線として作用する接片と電気的な配線として作用する弾性部材とにより行なわれる。このため、特許文献１に提案された、撮影レンズ前面に設けられたプリズムに備えられたコイルとカメラ本体に備えられた電気回路基板とをレンズホルダ内に配設された配線で半田接続等により結線する技術と比較し、組立工程が簡素化される。
【０００７】
ここで、上記弾性部材が、コイルバネであることが好ましい。
【０００８】
また、上記弾性部材が、板バネであることも好ましい態様である。
【０００９】
弾性部材がコイルバネや板バネであると、弾性部材を容易に且つ低コストで入手することができる。
【００１０】
さらに、上記作用体が、ピント調節用の光学部材を駆動するフォーカスアクチュエータであることが好ましい。
【００１１】
また、上記作用体が、手ぶれ補正用の光学部材を駆動する手ぶれ補正アクチュエータであることも好ましい態様である。
【００１２】
作用体がフォーカスアクチュエータや手ぶれ補正アクチュエータであると、ＡＦ機能や手ぶれ補正機能を有するレンズユニットを簡単に実現することができる。
【発明の効果】
【００１３】
本発明によれば、組立工程が簡素化されたレンズユニットを提供することができる。
【発明を実施するための最良の形態】
【００１４】
以下、本発明の実施の形態について説明する。
【００１５】
図１は、本発明のレンズユニットの第１実施形態が組み込まれたカメラの外観斜視図である。
【００１６】
図１（ａ）には、本発明のレンズユニットの第１実施形態が組み込まれたカメラを正面上方から見た図が示されている。また、図１（ｂ）には、図１（ａ）に示すカメラを背面上方から見た図が示されている。
【００１７】
図１に示すカメラ１００は、撮影光学系を備えその撮影光学系を経由して入射してきた被写体光を撮像素子で捉えて画像信号を生成するデジタルカメラである。
【００１８】
図１（ａ）に示すように、このカメラ１００には、カメラボディ中央に備えられたレンズ鏡胴１０と、そのレンズ鏡胴１０に内蔵された撮影光学系２０とからなるレンズユニット１が組み込まれている。このカメラ１００では、撮影光学系２０を通してカメラ１００内部に配備されている撮像素子であるＣＣＤ固体撮像素子（以降ＣＣＤという）まで被写体の像が導かれるようになっている。
【００１９】
また、図１（ａ）に示すカメラ１００のレンズユニット１の上方には、ファインダ１０２と、測光光学系１０３と、測距部１０４と、発光ユニット１０５とが配備されている。測距部１０４は、互いに所定距離だけ離れた位置に配置されたＡＦ受光窓１０４ａ，１０４ｂを有し、被写体からの自然散乱光（太陽光等）である反射光をそれらＡＦ受光窓１０４ａ，１０４ｂを介して受光素子で受光して、いわゆる三角測距の原理を用いることにより被写体距離を測定する。
【００２０】
また、図１（ｂ）に示すように、カメラ１００の背面および上面には、ユーザがこのカメラ１００を使用するときに種々の操作を行なうための操作スイッチ群１１１が設けられている。
【００２１】
この操作スイッチ群１１１の中にはカメラ１００を作動させるための電源スイッチ１１１ａのほか、シャッタ釦１１１ｂ、十字キー１１１ｃ、メニュー／ＯＫキー１１１ｄ、キャンセルキー１１１ｅ、モードレバー１１１ｆなどがある。この操作スイッチ群１１１の中のモードレバー１１１ｆによって再生モードと撮影モードの切替えや撮影モードの中でさらに動画モード，静止画モードの切替えが行なわれる。このモードレバー１１１ｆが撮影モードに切り替えられるとスルー画が表示されてそのスルー画を見ながらシャッタ釦１１１ｂが押されると被写体の撮影が行なわれ、再生側に切り替えられると既撮影画像の再生表示がＬＣＤパネル１５０上に行なわれる。
【００２２】
また、メニュー／ＯＫキー１１１ｄおよび十字キー１１１ｃの操作により、セットアップメニューに切り替えて日時の設定や画像表示を行なうか否かの設定等を行なったり、撮影モードに切り替えてマニュアル，オート，風景，人物，夜景等を選択したり、あるいは撮影メニューに切り替えてセルフタイマ，連写等を選択したりすることができる。
【００２３】
図２は、図１に示すカメラの構成を示すブロック図である。
【００２４】
図２に示すカメラ１００には、撮影光学系２０を構成する、後述する液体レンズ２１（本発明にいう作用体の一例に相当）、撮影レンズ２２、アイリス２３、およびシャッタ２４が備えられている。撮影レンズ２２は複数のレンズから構成されている。
【００２５】
また、このカメラ１００には、液体レンズ２１のレンズ形状を変化させるＡＦ制御部２５、アイリス２３を駆動するアイリス駆動部２６、およびシャッタ２４を駆動するシャッタ駆動部２７が備えられている。
【００２６】
ここで、液体レンズ２１は、ＴＴＬＡＦ機能を実現するためのレンズである。このＴＴＬＡＦ機能とは、一般的には、光軸に沿う方向にレンズを移動させながら、ＣＣＤで得られた画像信号のコントラストをＣＰＵで検出し、そのコントラストのピークが得られるレンズ位置をピント位置として、そのレンズをピント位置に調節するものである。このＴＴＬＡＦ機能によって、コントラストがピークになる被写体（つまり、最も近くにある最近被写体）に自動的に焦点を合わせて撮影を行なうことができる。第１実施形態においては、このようなレンズを移動させる代わりに、ＡＦ制御部２５で液体レンズ２１のレンズ形状を変化させることによって、被写体に焦点を合わせる。この液体レンズ２１の構成については後述する。
【００２７】
このカメラ１００ではすべての処理がメインＣＰＵ１１０によって制御されていて、このメインＣＰＵ１１０の入力部には図１（ｂ）に示した操作スイッチ群１１１からの操作信号がそれぞれ供給される。メインＣＰＵ１１０はＥＥＰＲＯＭ１１０ａと接続されており、このＥＥＰＲＯＭ１１０ａの中にはカメラ１００として動作するために必要なプログラムが書き込まれている。このような構成を持つカメラ１００の電源スイッチ１１１ａ（図１参照）が投入されると、ＥＥＰＲＯＭ１１０ａ内のプログラムの手順にしたがってメインＣＰＵ１１０によりこのカメラ１００全体の動作が制御される。
【００２８】
詳細には、操作スイッチ群１１１の中の電源スイッチ１１１ａが投入されると、メインＣＰＵ１１０により電源スイッチ１１１ａが投入されたことが検知され、電源１３０からメインＣＰＵ１１０，駆動用ＣＰＵ１２０などの各ブロックに電力が供給される。ここで、操作スイッチ群１１１の中のモードレバー１１１ｆが撮影側に切り替えられていた場合には、撮影光学系２０を経由してＣＣＤ１１２に結像された被写体像が画像信号として所定の間隔ごとに間引かれて出力され、その出力された画像信号に基づく被写体像がＬＣＤパネル１５０上に表示される。このＣＣＤ１１２にはクロックジェネレータ（以下、ＣＧという）１５３からタイミング信号が供給されており、このタイミング信号によって所定の間隔ごとに、画像信号が間引かれて出力される。このＣＧ１５３はメインＣＰＵ１１０からの指示に基づいてタイミング信号を出力しており、そのタイミング信号は、ＣＣＤ１１２の他、後段のＡ／Ｄ部１１３、およびＷＢ（ホワイトバランス）調整部・γ処理部１１４にも供給されている。従って、ＣＣＤ１１２、Ａ／Ｄ部１１３、ＷＢ調整部・γ処理部１１４ではそのタイミング信号に同期して順序良く画像信号の処理が流れるように行なわれる。
【００２９】
このようにメインＣＰＵ１１０の指示に応じてＣＧ１５３から出力されるタイミング信号に同期してＡ／Ｄ部１１３でデジタルの画像信号に変換され、またＷＢ調整部・γ処理部１１４でホワイトバランス調整やγ補正が所定の間隔ごとに行なわれていくときには、それらの画像信号の流れを適切に調整する必要があるので、後段にバッファメモリ１１５が設けられており、そのバッファメモリ１１５によって所定の間隔ごとに画像信号がＹＣ処理部１１６に転送されていくタイミングが調整される。バッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してＹＣ→ＲＧＢ変換部１５１に供給される。このＹＣ→ＲＧＢ変換部１５１でＹＣ信号が再びＲＧＢ信号に変換され、その変換されたＲＧＢ信号がドライバ１５２を経由してＬＣＤパネル１５０に供給される。これにより、ＬＣＤパネル１５０上に被写体像の画像表示が行なわれる。前述したＣＧ１５３から出力されるタイミング信号に同期してＣＣＤ１１２、Ａ／Ｄ部１１３、ＷＢ調整部・γ補正部１１４が動作して、所定の間隔ごとにＣＣＤ１１２で生成された画像信号が処理されている訳であるから、このＬＣＤパネル１５０上には撮影レンズ２２が向けられた方向の被写体が被写体像として常に表示され続ける。この表示され続けている被写体像を視認しながら、シャッタチャンスにシャッタ釦１１１ｂが押されると、そのシャッタ釦１１１ｂの押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がＩ／Ｆ（インターフェース）１１８を経由してメモリカード１１９に記録される。この圧縮・伸張部１１７では静止画についてはＪＰＥＧ規格に準拠した圧縮方式で圧縮が行なわれてメモリカード１１９に画像信号が記録される。画像信号からなるファイルのヘッダ部には圧縮情報や撮影情報などが書き込まれており、このカメラ１００のモードレバー１１１ｆが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００３０】
また、このカメラ１００には、メインＣＰＵ１１０の他に駆動用ＣＰＵ１２０が設けられており、この駆動用ＣＰＵ１２０によって撮影光学系２０および発光ユニット１０５の制御が行なわれる。
【００３１】
図３は、図１に示すカメラに組み込まれたレンズユニットの一部を切り欠いて示した図、図４は、図３に示すレンズユニットの断面図である。
【００３２】
図３に示すレンズユニット１には、レンズ鏡胴１０を構成するレンズホルダ１１およびそのレンズホルダ１１を押さえるためのリング部材１２が備えられている。リング部材１２は、図４に示すように、レンズホルダ１１にネジ１３で固定されている。ここで、レンズホルダ１１は、撮影レンズ２２を保持するものであり、このレンズホルダ１１では、電気的な配線として作用する第１の接片１４＿１と第２の接片１４＿２がインモールド成型されている。これら第１，第２の接片１４＿１，１４＿２の構造については後述する。
【００３３】
また、レンズユニット１には、撮影光学系２０を構成する液体レンズ２１が備えられている。液体レンズ２１は、レンズホルダ１１に保持された撮影レンズ２２の前面に備えられた、電気的な配線を要する作用体である。この液体レンズ２１は、カバーガラス２１＿１，２１＿２の間に、電解質が加えられた透明な水２１＿３と、絶縁性液体である透明な油２１＿４とが互いに混じり合わずに収容されている。水２１＿３よりも油２１＿４の方が光の屈折率が大きいため、この液体レンズ２１では、油２１＿４が光を屈折させるレンズの役割を担う。また、液体レンズ２１には、絶縁体２１＿５を挟んで形成された、水２１＿３と接する第１の電極２１＿６と、油２１＿４と接する第２の電極２１＿７が備えられている。
【００３４】
さらに、レンズユニット１には、レンズホルダ１１の第１の接片１４＿１，第２の接片１４＿２と、液体レンズ２１の第１の電極２１＿６，第２の電極２１＿７との間の電気的な配線として作用する第１のコイルバネ１５＿１，第２のコイルバネ１５＿２が備えられている。これら第１，第２のコイルバネ１５＿１，１５＿２には、圧縮バネが採用されている。また、レンズユニット１には、図４に示すように、赤外線をカットする赤外カットフィルタ（ＩＲカットフィルタ）１６が配置されている。
【００３５】
ここで、レンズユニット１には、カメラ本体に備えられた電気回路基板１０１が取り付けられている。この電気回路基板１０１には、前述したＣＣＤ１１２が搭載されている。また、この電気回路基板１０１に設けられた電圧印加端子，グラウンド端子（図示せず）と第１，第２の接片１４＿１，１４＿２とが半田１７で半田接続されている。このようにすることにより、電気回路基板１０１とレンズユニット１との半田接続部において防塵構造が実現されている。
【００３６】
図５は、レンズユニットの裏面を示す図である。
【００３７】
図５に示すレンズユニット１の裏面には、第１の接片１４＿１の先端部が露出されてなる半田接続部１１ａと、第２の接片１４＿２の先端部が露出されてなる半田接続部１１ｂが設けられている。これら半田接続部１１ａ，１１ｂにおいて、電気回路基板１０１に設けられた電圧印加端子，グラウンド端子と第１，第２の接片１４＿１，１４＿２の先端部とを半田１７で半田接続することにより、レンズユニット１と電気回路基板１０１とが密着して防塵構造が実現されている。
【００３８】
ここで、電気回路基板１０１の電圧印加端子，グラウンド端子から第１，第２の接片１４＿１，１４＿２および第１，第のコイルバネ１５＿１，１５＿２を経由して、液体レンズ２１の第１の電極２１＿６，第２の電極２１＿７にプラスの電圧，マイナスの電圧を印加すると、油２１＿４からみたときの、水２１＿３と油２１＿４との境界面Ａの形状は凸状となり、このため液体レンズ２１は凸レンズとして機能する。
【００３９】
また、第１の電極２１＿６と第２の電極２１＿７との相互間に電圧が印加されていない状態では、油２１＿４からみたときの、水２１＿３と油２１＿４との境界面Ａの形状は凹状となり、液体レンズ２１は凹レンズとして機能する。
【００４０】
さらに、第１の電極２１＿６および第２の電極２１＿７に印加される電圧を調整することによって、水２１＿３と油２１＿４との境界面Ａの形状を少しずつ変化させることができる。このように、この液体レンズ２１によると、レンズを移動させる機構を設けなくても、水２１＿３と油２１＿４との境界面Ａの形状を変化させることによって、フォーカス機能を実現することができる。
【００４１】
図６は、図３，図４，図５に示すレンズユニットを構成するレンズホルダにインモールド成型された第１，第２の接片を示す図である。
【００４２】
図６には、レンズユニット１を構成するレンズホルダ１１が示されており、このレンズホルダ１１には、円周部１４＿１ａおよび直進部１４＿１ｂからなる第１の接片１４＿１がインモールド成型されている。また、このこのレンズホルダ１１には、円周部１４＿２ａおよび直進部１４＿２ｂからなる第２の接片１４＿２もインモールド成型されている。
【００４３】
図７は、レンズユニットの、第１，第２の接片を含む平面図、正面図、および側面図である。
【００４４】
図７（ａ），図７（ｂ），図７（ｃ）には、それぞれ、レンズユニット１の、第１，第２の接片１４＿１，１４＿２を含む平面図，正面図，側面図が示されている。レンズユニット１は、これら図７（ａ），図７（ｂ），図７（ｃ）に示すように、撮影レンズ２２と、その撮影レンズ２２の前面に備えられた上述した液体レンズ２１と、レンズホルダ１１にインモールド成型された第１，第２の接片１４＿１，１４＿２とを有する。
【００４５】
図８は、レンズホルダの、第１，第２の接片がインモールド成型された１次成型後の斜視図、図９は、レンズホルダの、第１，第２の接片がインモールド成型された１次成型後の側面図および正面図である。
【００４６】
尚、図８，図９に示す１次成型後のレンズホルダ１１に対して、その後、さらに２次成型が行なわれて、前述した図３の斜線部に示すような、最終的なレンズホルダ１１の形状となる。
【００４７】
１次成型後のレンズホルダ１１には、図８の斜視図および図９（ａ），図９（ｂ）の側面図，正面図に示すように、円周部１４＿１ａ，直進部１４＿１ｂからなる第１の接片１４＿１と、円周部１４＿２ａ，直進部１４＿２ｂからなる第２の接片１４＿２がインモールド成型されている。
【００４８】
図１０は、第１の接片の斜視図、図１１は、第２の接片の斜視図である。
【００４９】
第１の接片１４＿１は、図１０に示すように、１つの円周部１４＿１ａと３つの直進部１４＿１ｂとが一体に形成されている。また、第２の接片１４＿２は、図１１に示すように、１つの円周部１４＿２ａと３つの直進部１４＿２ｂとが一体に形成されている。
【００５０】
図１２は、第１の接片の平面図、正面図、および側面図である。
【００５１】
第１の接片１４＿１は、図１２（ａ）に示すように、円周部１４＿１ａの、各直進部１４＿１ｂが形成された両端に、各切欠部１４＿１ａ１を有する。また、第１の接片１４＿１は、図１２（ｂ），図１２（ｃ）に示すように、３つの直進部１４＿１ｂのうちの１つの直進部１４＿１ｂが他の２つの直進部１４＿１ｂよりも長手方向に長く形成された形状を有する。
【００５２】
以上説明したように、カメラ１００に組み込まれた第１実施形態のレンズユニット１は、撮影レンズ２２の前面に備えられた電気的な配線を要する液体レンズ２１とカメラ本体に備えられた電気回路基板１０１との電気的な接続は、レンズホルダ１１にインモールド成型された電気的な配線として作用する第１，第２の接片１４＿１，１４＿２と電気的な配線として作用する第１，第２のコイルバネ１５＿１，１５＿２とにより行なわれる。このため、特許文献１に提案された、撮影レンズ前面に設けられたプリズムに備えられたコイルとカメラ本体に備えられた電気回路基板とをレンズホルダ内に配設された配線で半田接続等により結線する技術と比較し、組立工程が簡素化される。
【００５３】
図１３は、図１２に示す第１の接片とは異なる第１の接片の平面図、正面図、および側面図である。
【００５４】
第１の接片１４＿１１は、図１３（ａ）に示すように、円周部１４＿１１ａの、各直進部１４＿１１ｂが形成された両端に、各３つの切欠部１４＿１１ａ１，１４＿１１ａ２，１４＿１１ａ３を有する。このように、第１の接片１４＿１１に３つの切欠部１４＿１１ａ１，１４＿１１ａ２，１４＿１１ａ３を設けることにより、その第１の接片１４＿１１の軽量化を図ってもよい。
【００５５】
図１４は、本発明のレンズユニットの第２実施形態の断面図である。
【００５６】
尚、図４に示すレンズユニット１の構成要素と同じ構成要素には同一の符号を付し、異なる点について説明する。
【００５７】
このレンズユニット２には、図１４（ａ）に示すように、撮影レンズ２２の前面に、ピント調節用のフォーカスレンズ２＿１と、本発明にいう作用体の他の一例であるフォーカスアクチュエータ２＿２が備えられている。
【００５８】
フォーカスレンズ２＿１は、第１のレンズ２＿１１と第２のレンズ２＿１２から構成されている。第１のレンズ２＿１１は移動部材２＿３に取り付けられているとともに、第２のレンズ２＿１２はレンズホルダ１１に取り付けられている。
【００５９】
一方、フォーカスアクチュエータ２＿２は、移動部材２＿３に取り付けられたヨーク部材２＿２１と、ヨーク部材２＿２１の外周面に取り付けられたボイスコイル部材２＿２２と、このレンズユニット２の外面の一部分を成すマグネット２＿２３とから構成されている。
【００６０】
また、このレンズユニット２には、圧縮バネである第１，第２のコイルバネ１５＿１，１５＿２も備えられている。これら第１，第２のコイルバネ１５＿１，１５＿２は、左方向に付勢されている。このレンズユニット２は、以下に説明するようにして、ボイスコイル部材２＿２２に通電されることで、この図１４（ａ）に示す状態となる。
【００６１】
レンズユニット２は、最初の時点では、図１４（ｂ）に示す初期状態にある。ここで、電気回路基板１０１の電圧印加端子，グラウンド端子（図示せず）から第１，第２の接片１４＿１，１４＿２および第１，第２のコイルバネ１５＿１，１５＿２を経由して、ボイスコイル部材２＿２２に電圧が印加される。すると、ボイスコイル部材２＿２２に電流が流れ、これにより発生した電磁力と、ヨーク部材２＿２１およびマグネット２＿２３により形成された電磁場とにより所定の推進モーメントが得られ、このモーメントにより、フォーカスアクチュエータ２＿２を構成するヨーク部材２＿２１およびボイスコイル部材２＿２２とフォーカスレンズ２＿１を構成するレンズ２＿１１とが、図１４（ａ）に示すように、右方向に移動する。このようにして、フォーカスレンズ２＿１の合焦位置が可変され、フォーカシングが行われる。
【００６２】
図１５は、本発明のレンズユニットの第３実施形態の断面図である。
【００６３】
図１５に示すレンズユニット３は、図１４に示すレンズユニット２と比較し、ピント調節用のフォーカスレンズ２＿１がフォーカスレンズ３＿１に置き換えられている点が異なっている。図１５（ａ）に示すように、フォーカスレンズ３＿１は、第１のレンズ３＿１１と第２のレンズ３＿１２から構成されている。第１のレンズ３＿１１は、リング部材３＿３に固定されている。また、第１，第２のコイルバネ１５＿１，１５＿２は圧縮バネであり、これら第１，第２のコイルバネ１５＿１，１５＿２は、左方向に付勢されている。
【００６４】
ここで、電気回路基板１０１の電圧印加端子，グラウンド端子（図示せず）から第１，第２の接片１４＿１，１４＿２および第１，第のコイルバネ１５＿１，１５＿２を経由して、ボイスコイル部材２＿２２に電圧が印加されると、ボイスコイル部材２＿２２に電流が流れ、これにより発生した電磁力と、ヨーク部材２＿２１およびマグネット２＿２３により形成された電磁場とにより所定の推進モーメントが得られ、このモーメントにより、フォーカスアクチュエータ２＿２とともにフォーカスレンズ３＿１を構成する第２のレンズ３＿１２が、図１５（ｂ）に示すように、右方向に移動する。このようにして、フォーカスレンズ３＿１の合焦位置を可変してもよい。
【００６５】
上述した第１〜第３実施形態において、圧縮バネを利用することにより、半田付けを行なわず、コイルバネの両端で簡単な構造で電気的接続を行なうことができる。
【００６６】
また、第２，第３実施形態においては、レンズを所定方向に付勢するコイルバネを電気的接続と兼用することで、リード線やフレキシブル基板等の配線材料を省略でき、部品点数を削減できる。ボイスコイル部材からリード線を引き出して回路基板に直接半田付け接続する場合、リード線が細いために断線する虞があるが、コイルバネを使用することで、断線の虞がなくなる。
【００６７】
図１６は、本発明のレンズユニットの第４実施形態が組み込まれたカメラの構成を示すブロック図である。
【００６８】
尚、図１６に示すカメラ２００の外観斜視図は、図１に示すカメラ１００の外観斜視図と同じであるため、図示省略する。
【００６９】
図１６に示すカメラ２００は、図１に示すカメラ１００と比較し、手ぶれ検出部２０１が追加されている点と、ＡＦ制御部２５が手ぶれ補正部２０２に置き換えられている点とが異なっている。
【００７０】
手ぶれ検出部２０１は、カメラ２００のぶれを検出し、そのぶれの大きさに応じた手ぶれ信号を出力する。
【００７１】
手ぶれ補正部２０２は、手ぶれ検出部２０１でのぶれの検出結果に応じて液体レンズ２１のレンズ形状を変化させることによって、手ぶれ補正を行なう。詳細には、入射してきた被写体光の光路上に配備された液体レンズ２１に、手ぶれ検出部２０１で検出されたぶれの検出結果に応じた電圧を手ぶれ補正部２０２で印加し、印加された電圧に応じて液体レンズ２１で光路を偏向することにより、ＣＣＤ１１２の撮像面上の被写体像のぶれを補正する。尚、この液体レンズ２１に代えて、手ぶれ補正用の光学部材を駆動する手ぶれ補正アクチュエータを備えてもよい。
【００７２】
上述した実施形態では、本発明にいう弾性部材としてコイルバネの例で説明したが、これに限られるものではなく、本発明にいう弾性部材は板バネであってもよい。
【００７３】
また、本実施形態では、撮影光学系を備えその撮影光学系を経由して入射してきた被写体光を撮像素子で捉えて画像信号を生成するデジタルカメラに、本発明のレンズユニットの各実施形態が組み込まれた例で説明したが、これに限られるものではなく、例えば、ロール状の写真フイルム上に写真撮影を行なうコンパクトフイルムカメラ、携帯電話に搭載されるカメラ、フィルムをカメラ外部に送り出すとともに現像するインスタントカメラ、あるいは動画を撮影するビデオカメラのいずれにも、本発明を適用することができる。
【図面の簡単な説明】
【００７４】
【図１】本発明のレンズユニットの第１実施形態が組み込まれたカメラの外観斜視図である。
【図２】図１に示すカメラの構成を示すブロック図である。
【図３】図１に示すカメラに組み込まれたレンズユニットの一部を切り欠いて示した図である。
【図４】図３に示すレンズユニットの断面図である。
【図５】レンズユニットの裏面を示す図である。
【図６】図３，図４，図５に示すレンズユニットを構成するレンズホルダにインモールド成型された第１，第２の接片を示す図である。
【図７】レンズユニットの、第１，第２の接片を含む平面図、正面図、および側面図である。
【図８】レンズホルダの、第１，第２の接片がインモールド成型された１次成型後の斜視図である。
【図９】レンズホルダの、第１，第２の接片がインモールド成型された１次成型後の側面図および正面図である。
【図１０】第１の接片の斜視図である。
【図１１】第２の接片の斜視図である。
【図１２】第１の接片の平面図、正面図、および側面図である。
【図１３】図１１に示す第１の接片とは異なる第１の接片の平面図、正面図、および側面図である。
【図１４】本発明のレンズユニットの第２実施形態の断面図である。
【図１５】本発明のレンズユニットの第３実施形態の断面図である。
【図１６】本発明のレンズユニットの第４実施形態が組み込まれたカメラの構成を示すブロック図である。
【符号の説明】
【００７５】
１，２，３  レンズユニット
２＿１，３＿１  フォーカスレンズ
２＿２  フォーカスアクチュエータ
２＿３  移動部材
２＿１１，３＿１１  第１のレンズ
２＿１２，３＿１２  第２のレンズ
２＿２１  ヨーク部材
２＿２２  ボイスコイル部材
２＿２３  マグネット
３＿３，１２  リング部材
１０  レンズ鏡胴
１１  レンズホルダ
１１ａ，１１ｂ  半田接続部
１３  ネジ
１４＿１，１４＿１１  第１の接片
１４＿１ａ，１４＿２ａ，１４＿１１ａ  円周部
１４＿１ｂ，１４＿２ｂ，１４＿１１ｂ  直進部
１４＿１ａ１，１４＿１１ａ１，１４＿１１ａ２，１４＿１１ａ３  切欠部
１４＿２  第２の接片
１５＿１  第１のコイルバネ
１５＿２  第２のコイルバネ
１６  赤外カットフィルタ（ＩＲカットフィルタ）
１７  半田
２０  撮影光学系
２１  液体レンズ
２１＿１，２１＿２  カバーガラス
２１＿３  水
２１＿４  油
２１＿５  絶縁体
２１＿６  第１の電極
２１＿７  第２の電極
２２  撮影レンズ
２３  アイリス
２４  シャッタ
２５  ＡＦ制御部
２６  アイリス駆動部
２７  シャッタ駆動部
１００，２００  カメラ
１０１  電気回路基板
１０２  ファインダ
１０３  測光光学系
１０４  測距部
１０４ａ，１０４ｂ  ＡＦ受光窓
１０５  発光ユニット
１１０  メインＣＰＵ
１１０ａ  ＥＥＰＲＯＭ
１１１  操作スイッチ群
１１１ａ  電源スイッチ
１１１ｂ  シャッタ釦
１１１ｃ  十字キー
１１１ｄ  メニュー／ＯＫキー
１１１ｅ  キャンセルキー
１１１ｆ  モードレバー
１１２  ＣＣＤ
１１３  Ａ／Ｄ部
１１４  ＷＢ調整部・γ処理部
１１５  バッファメモリ
１１６  ＹＣ処理部
１１７  圧縮・伸張部
１１８  Ｉ／Ｆ
１１９  メモリカード
１２０  駆動用ＣＰＵ
１２１  バス
１３０  電源
１５０  ＬＣＤパネル
１５１  ＹＣ→ＲＧＢ変換部
１５２  ドライバ
１５３  クロックジェネレータ
２０１  手ぶれ検出部
２０２  手ぶれ補正部
【図１】
2007163749.tif 000003
【図２】
2007163749.tif 000004
【図３】
2007163749.tif 000005
【図４】
2007163749.tif 000006
【図５】
2007163749.tif 000007
【図６】
2007163749.tif 000008
【図７】
2007163749.tif 000009
【図８】
2007163749.tif 000010
【図９】
2007163749.tif 000011
【図１０】
2007163749.tif 000012
【図１１】
2007163749.tif 000013
【図１２】
2007163749.tif 000014
【図１３】
2007163749.tif 000015
【図１４】
2007163749.tif 000016
【図１５】
2007163749.tif 000017
【図１６】
2007163749.tif 000018